(57)【要約】【課題】手の触覚により操作ボタンを容易に識別できる画像表示装置の提供を目的とする。【解決手段】画像表示装置として機能するテレビジョン受信機は、側面に操作部１８を有しており、音量を増大する音量ボタン２５ａ及び音量を減少する音量ボタン２５ｂを含む複数の操作ボタン２１〜２５ｂが操作部１８に並置してある。機能的に対となる音量ボタン２５ａ及び音量ボタン２５ｂは離隔してある。音量ボタン２５ａ及び音量ボタン２５ｂの間には、側面から突出しており音量ボタン２５ａ及び音量ボタン２５ｂの並置方向に沿って延びる操作ボタン識別補助部３１が設けてある。【選択図】図３
2014171213.tif 000002
【特許請求の範囲】
【請求項１】
画像を表示する表示部を前面に有し、複数の操作ボタンが前面以外の他面に並置してある画像表示装置において、
前記複数の操作ボタンのうちの２個の操作ボタンは離隔してあり、
前記他面の前記２個の操作ボタン間に、その周囲とは構造の異なる操作ボタン識別補助部を備える
ことを特徴とする画像表示装置。
【請求項２】
前記操作ボタン識別補助部は、その周囲と表面構造が異なる
ことを特徴とする請求項２に記載の画像表示装置。
【請求項３】
前記操作ボタン識別補助部は、前記２個の操作ボタンの並置方向に延びる突条を有する
ことを特徴とする請求項２に記載の画像表示装置。
【請求項４】
前記操作ボタン識別補助部は、前記２個の操作ボタンの並置方向に延びる凹溝を有する
ことを特徴とする請求項２に記載の画像表示装置。
【請求項５】
前記複数の操作ボタンの外端は、前記前面の周縁よりも内側にある
ことを特徴とする請求項１から４のいずれか一つに記載の画像表示装置。
【請求項６】
音発生部を備え、
前記２個の操作ボタンは、前記音発生部が発生する音量を増大させる操作ボタン及び減少させる操作ボタンである
ことを特徴とする請求項１から５のいずれか一つに記載の画像表示装置。
【請求項７】
チャンネル番号が付された複数の放送局から放送されるテレビジョン放送を受信する受信部を備え、
前記２個の操作ボタンは、前記受信部が受信すべきテレビジョン放送を放送する放送局をチャンネル番号の昇順に切り替える操作ボタン及び降順に切り替える操作ボタンである
ことを特徴とする請求項１から５のいずれか一つに記載の画像表示装置。
【発明の詳細な説明】
【技術分野】
【０００１】
本発明は、手の触覚により操作ボタンを容易に識別できる画像表示装置に関する。
【背景技術】
【０００２】
テレビジョン受信機、パーソナルコンピュータのモニタ等の画像表示装置が存在する。画像表示装置の多くは、遠隔操作機器を用いて操作指示を受け付ける構成としてあっても、遠隔操作機器の紛失などを考慮し、操作指示を受け付ける操作ボタンを画像表示装置本体に設置してある。
【０００３】
画像表示装置では、前面にある表示面に表示できる画像を大きくするために、表示面を囲う筐体を狭額縁化させる傾向にあるが、狭額縁化により操作ボタンを画像表示装置本体の前面に設けることが困難となっている。また、操作ボタンを画像表示装置本体の前面側から見える位置に設けた場合にはデザイン性を損なう可能性も考えられ、前面側から見えない画像表示装置本体上の位置に操作ボタンを設けた画像表示装置が実用化されている。
【０００４】
例えば、電源ボタン、入力切換ボタン、一対の選局ボタン、一対の音量ボタン等を含む操作ボタンを前面に設けるのではなく一側面に並べて設ける構成とし、設けた操作ボタンが前面側から見えないようにデザインした画像表示装置としての機能を有するテレビジョン受信機が知られている（例えば、非特許文献１）。
【０００５】
近年の技術的進歩により、画像表示装置が薄型化している。また、省スペース性を重視し、薄型化した画像表示装置を壁面付近に設置して利用する傾向にある。
【０００６】
前面側から見えない本体上の位置に操作ボタンを設けた薄型の画像表示装置では、壁面付近に設置した場合、画像表示装置の前面にいるユーザが操作ボタンを視認し難いため、ユーザは手探りで操作ボタンを認識する可能性が高い。しかしながら、手探りで認識した操作ボタンがどのような操作を実行するための操作ボタンであるかを、手の触覚のみを頼りに識別することは非常に困難である。ユーザが認識して押下操作した操作ボタンがユーザの意図した操作ボタンではない場合、誤操作を招くことになる。例えば、興味のある映像を視聴しているユーザが画像表示装置から出力される音量を大きすぎると感じて音量を下げようとし、音量減少と関係のない電源ボタンを誤って押下操作した場合には、興味ある映像の視聴が中断されることになり好ましくない。誤って音量を増大する操作ボタンを押下操作した場合には、更に大音量となり好ましくない、また、興味のある映像を視聴しているユーザが画像表示装置から出力される音の音量を小さすぎると感じて音量を上げようとし、音量増大と関係のない入力切替ボタンを誤って押下操作した場合には、興味ある映像の視聴が中断されることになり好ましくない。誤って音量を減少する操作ボタンを押下操作した場合には、更に音量が小さくなることにより興味のある内容を聞き洩らす可能性もあり、好ましくない。
【０００７】
特許文献１は、電話機が有する複数のプッシュボタンの形状に相違を生じるようにし、手で触れたプッシュボタンがどの番号を示すプッシュボタンであるかの識別を補助する構成を提案している。画像表示装置においても、手探りで認識した操作ボタンがどのような操作を実行するための操作ボタンであるかを識別し易くするために、それぞれ相違する形状の操作ボタンを設ける構成が考えられる。
【先行技術文献】
【非特許文献】
【０００８】
【非特許文献１】“SHARP AQUOS  取扱説明書”［online］、［平成25年1月15日検索］http://www.sharp.co.jp/support/aquos/doc/lc80_70gl7_mn.pdf
【特許文献】
【０００９】
【特許文献１】特開平８−１９５７９８号公報
【発明の概要】
【発明が解決しようとする課題】
【００１０】
製造コスト及び操作ボタン設置スペース等を考慮した場合、画像表示装置の操作ボタンとして採用できる形状に限度がある。また、手の触覚による形状識別がそれほど鋭敏ではない一般的なユーザが触覚だけで相違を容易に識別できるような形状を操作ボタン毎に選択することも困難である。したがって、壁面付近に設置して利用されるような画像表示装置の操作ボタン形状を相違させる構成だけでは、上述した誤操作に十分対応することができない事態が考えられる。
【００１１】
本発明は斯かる事情に鑑みてなされたものであって、各操作ボタンの形状自体に依存せず、手の触覚により操作ボタンを容易に識別できる画像表示装置の提供を目的とする。
【課題を解決するための手段】
【００１２】
本発明に係る画像表示装置は、画像を表示する表示部を前面に有し、複数の操作ボタンが前面以外の他面に並置してある画像表示装置において、前記複数の操作ボタンのうちの２個の操作ボタンは離隔してあり、前記他面の前記２個の操作ボタン間に、その周囲とは構造の異なる操作ボタン識別補助部を備えることを特徴とする。
【００１３】
また本発明に係る画像表示装置は、前記操作ボタン識別補助部は、その周囲と表面構造が異なることを特徴とする。
【００１４】
また本発明に係る画像表示装置は、前記操作ボタン識別補助部は、前記２個の操作ボタンの並置方向に延びる突条を有することを特徴とする。
【００１５】
また本発明に係る画像表示装置は、前記操作ボタン識別補助部は、前記２個の操作ボタンの並置方向に延びる凹溝を有することを特徴とする。
【００１６】
また本発明に係る画像表示装置は、前記複数の操作ボタンの外端は、前記前面の周縁よりも内側にあることを特徴とする。
【００１７】
また本発明に係る画像表示装置は、音発生部を備え、前記２個の操作ボタンは、前記音発生部が発生する音量を増大させる操作ボタン及び減少させる操作ボタンであることを特徴とする。
【００１８】
また本発明に係る画像表示装置は、チャンネル番号が付された複数の放送局から放送されるテレビジョン放送を受信する受信部を備え、前記２個の操作ボタンは、前記受信部が受信すべきテレビジョン放送を放送する放送局をチャンネル番号の昇順に切り替える操作ボタン及び降順に切り替える操作ボタンであることを特徴とする。
【発明の効果】
【００１９】
本発明にあっては、画像を表示する表示面を有する前面以外の他面に、画像処理装置が有する複数の操作ボタンを並置し、複数の操作ボタンのうちの所定の２個の操作ボタン間に、ユーザによる当該２個の操作ボタンの識別を補助する操作ボタン識別補助部を設けてある。２個の操作ボタン間に設置された操作ボタン識別補助部は、その周囲と構造が異なっており、例えば突条、凹溝または周囲と異なる表面構造となっているため、手の触覚のみによっても認識および識別し易い。また、操作ボタン識別補助部が２個の操作ボタンの並置方向に延びる形状としてあるため、認識および識別した操作ボタン識別補助部に触れた手を操作ボタン識別補助部の幅方向ではなく長さ方向に沿って動かすことにより、ユーザは当該２個の操作ボタンを容易に認識して識別できるようになり得る。２個の操作ボタンを識別できた場合、ユーザは、識別した２個の操作ボタンに並置してあるその他の操作ボタンも容易に識別し得る。したがって、画像処理装置に設けてある複数の操作ボタン全体を手の触覚のみにより識別し易くなり、誤操作の防止および操作性の向上が期待できる。
【図面の簡単な説明】
【００２０】
【図１】テレビジョン受信機の外観を略示する斜視図である。
【図２】テレビジョン受信機の外観を示す背面図である。
【図３】実施の形態１の操作部の外観を示す正面図である。
【図４】実施の形態１の操作部の外観を示す平面図である。
【図５】実施の形態１の操作部の外観を示す側面図である。
【図６】実施の形態１の操作部の外観を示す斜視図である。
【図７】実施の形態２の操作部の外観を示す斜視図である。
【図８】実施の形態３の操作部の外観を示す斜視図である。
【図９】実施の形態４の操作部の外観を示す斜視図である。
【図１０】実施の形態５の操作部の外観を示す斜視図である。
【図１１】実施の形態６の操作部の外観を示す斜視図である。
【図１２】実施の形態７の操作部の外観を示す斜視図である。
【発明を実施するための形態】
【００２１】
（実施の形態１）
以下、本発明をその実施の形態を示す図面に基づいて具体的に説明する。前面に表示部を有し、画像表示装置としての機能を有するテレビジョン受信機について例示する。
【００２２】
図１は、テレビジョン受信機１の外観を略示する斜視図である。図２は、テレビジョン受信機１の外観を示す背面図である。      
【００２３】
テレビジョン受信機１は、制御部、映像／音声入力部、チューナ部、ＡＶスイッチ、信号処理部、表示部１５、スピーカ、記憶部、及び操作部１８等を備える。
【００２４】
制御部は、中央処理装置（Central Processing Unit：ＣＰＵ）、記憶媒体（Read Only Memory：ＲＯＭ）、メモリ（Random Access Memory：ＲＡＭ）などを備えたマイクロコンピュータからなり、テレビジョン受信機１の各構成部に制御信号を与えて各構成部の動作を制御する。
【００２５】
映像／音声入力部は、各種外部装置から出力された映像信号及び音声信号が入力される入力インタフェースであり、入力された映像信号及び音声信号をＡＶスイッチへ与える。外部装置は、例えば、衛星放送チューナ、ケーブルテレビチューナ、ＩＰ放送チューナなどのチューナ、ＤＶＤプレーヤー、ブルーレイプレーヤーなどの再生装置等で構成される。
【００２６】
チューナ部は、アンテナＡで受信した放送信号から特定チャンネルの放送信号を選択し、選択した特定チャンネルの放送信号に含まれる映像信号及び音声信号をＡＶスイッチに与える。
【００２７】
ＡＶスイッチは、映像／音声入力部から与えられた映像信号及び音声信号、又はチューナ部から与えられた映像信号及び音声信号のいずれかを選択し、選択された映像信号及び音声信号を信号処理部へ出力する。
【００２８】
信号処理部は、ＡＶスイッチから出力された映像信号に基づいて映像データを生成し、生成した映像データを表示部１５に出力する。また信号処理部は、ＡＶスイッチから出力された音声信号に基づいて音声データを生成し、生成した音声データをスピーカに出力する。
【００２９】
表示部１５は、液晶パネルで構成してあり、信号処理部から与えられた映像データに基づいて、映像を表示する。表示部１５は、プラズマディスプレイパネル、有機ＥＬパネルなどを用いて構成してもよい。
【００３０】
スピーカは、電気信号を物理振動に変えて音を生み出すものであり、信号処理部から与えられた音声データに基づいて、音声を出力する。
【００３１】
記憶部は、ＲＡＭで構成してあり、チューナ部が受信すべきテレビジョン放送を放送する放送局にチャンネル番号を付して記憶する記憶領域、後述する操作部１８の音量ボタン２５ａ、２５ｂに対する操作量とスピーカから出力すべき音量との関係を記憶する記憶領域、及び表示部１５に表示すべき初期設定画面を記憶する記憶領域を有している。記憶部は、ＲＡＭ以外の記録媒体、たとえばＨＤＤで構成されてもよい。
【００３２】
操作部１８は、テレビジョン受信機１の操作に係る複数の操作ボタンを含む。具体的には、電源のオン／オフ操作に係る電源ボタン２１、初期設定画面の表示操作に係るホームボタン２２、ＡＶスイッチでの選択操作に係る入力切替ボタン２３、チューナ部が受信すべきテレビジョン放送を放送する放送局をチャンネル番号の昇順に切り替える操作に係る選局ボタン２４ａ並びに降順に切り替える操作に係る選局ボタン２４ｂ、及び、スピーカから出力する音量を増大させる操作に係る音量ボタン２５ａ並びに減少させる操作に係る音量ボタン２５ｂを含む。
【００３３】
電源ボタン２１が押下操作された場合、制御部は、テレビジョン受信機１の電源オン／オフを切り替える制御を行う。ホームボタン２２が押下操作された場合、制御部は、記憶部に記憶した初期設定画面を表示部１５に表示する制御を行う。入力切替ボタン２３が押下操作された場合、制御部はＡＶスイッチが受け付ける信号として、映像／音声入力部から与えられる映像信号及び音声信号とチューナ部から与えられる映像信号及び音声信号とを切り替える制御を行う。
【００３４】
選局ボタン２４ａが押下操作された場合、制御部は、チャンネル番号の昇順に放送局を切り替える制御を行う。選局ボタン２４ｂが押下操作された場合、制御部は、チャンネル番号の降順に放送局を切り替える制御を行う。つまり、選局ボタン２４ａ及び選局ボタン２４ｂは機能的に対となる操作ボタンであり、これらの操作ボタンを介して制御部は機能的に対となる選局操作を実現する。
【００３５】
音量ボタン２５ａが押下操作された場合、制御部は、スピーカから出力する音の音量を増大させる制御を行う。音量ボタン２５ｂが押下操作された場合、制御部は、スピーカから出力する音の音量を減少させる制御を行う。つまり、音量ボタン２５ａ及び音量ボタン２５ｂは機能的に対となる操作ボタンであり、これらの操作ボタンを介して制御部は機能的に対となる音量増減操作を実現する。
【００３６】
操作部１８は、表示部１５をテレビジョン受信機１の前面として背面側からテレビジョン受信機１を見た場合の背面右下部に配置してある。また操作部１８は、デザイン性を考慮し、前面側からは視認できない位置に配置してある。つまりテレビジョン受信機１では、操作部１８が有する複数の操作ボタン２１〜２５ｂの外端が、表示部１５を有する前面の周縁よりも内側となるように構成してある。
【００３７】
図３は、実施の形態１の操作部１８の外観を示す正面図である。図４は、実施の形態１の操作部１８の外観を示す平面図である。図５は、実施の形態１の操作部１８の外観を示す側面図である。図６は、実施の形態１の操作部１８の外観を示す斜視図である。
【００３８】
操作部１８は、テレビジョン受信機１の背面に取り付けられる構成要素であり、直方体状の複数の操作ボタン２１〜２５ｂを有する。操作ボタン２１〜２５ｂはそれぞれ、操作部１８が設けてあるテレビジョン受信機１の背面位置に対して垂直外方向に延びるように配置してある。また、複数の操作ボタン２１〜２５ｂそれぞれは互いに離隔して並置してあり、機能的に対となる音量ボタン２５ａ及び音量ボタン２５ｂの間に、周囲と構造が異なっている操作ボタン識別補助部３１が設けてある。
【００３９】
操作ボタン識別補助部３１は、複数の操作ボタン２１〜２５ｂが並置してある側面から突出しており、複数の操作ボタン２１〜２５ｂの並置方向を操作ボタン識別補助部３１の長さ方向とし並置方向に直交する方向を操作ボタン識別補助部３１の幅方向とする直線形状を有する。つまり操作ボタン識別補助部３１は、並置方向に沿って延びる突条部としてあり、並置方向における操作ボタン識別補助部３１の寸法が並置方向に直交する方向における操作ボタン識別補助部３１の寸法よりも長い。
【００４０】
操作部１８には、操作ボタン識別補助部３１と類似するような形状となる他の部位を設けていないため、ユーザは手の触覚のみによって操作ボタン識別補助部３１を認識し易い。認識した操作ボタン識別補助部３１に触れている手の指を操作ボタン識別補助部３１の長さ方向に沿って移動することにより、指が複数の操作ボタン２１〜２５ｂの並置方向に沿って移動することになり、ユーザは機能的に対となる音量ボタン２５ａ及び音量ボタン２５ｂを容易に識別できるようになる。また、そのようにして識別した音量ボタン２５ａ及び音量ボタン２５ｂを手掛かりとして、その他の操作ボタン２１〜２４ｂを識別することも容易になり得る。したがって、操作ボタン２１〜２５ｂそれぞれの形状を相違せずとも、視認し難い複数の操作ボタン全体２１〜２５ｂを手の触覚のみにより識別し易くなり、誤操作の防止および操作性の向上が期待できる。
【００４１】
上述したテレビジョン受信機１では、操作部１８を背面右下部に配置している例について説明していたが、操作部１８を前面側から見えない他の位置、例えば、背面の右上部、左上部、又は左下部等に配置してもよいことは言うまでもない。また、テレビジョン受信機１の操作を実現する遠隔操作部となるリモコンを設けてもよいことは言うまでもない。
【００４２】
図６では、電源ボタン２１の押下面に３個の突起部位を設け、選局ボタン２４ａの押下面に１個の突起部位を設け、手の触覚のみによる電源ボタン２１及び選局ボタン２４ａの識別をよりし易くする一例について示しているが、手の触覚による形状識別がそれほど鋭敏ではない一般的なユーザを考慮し、これらの突起部位を取り除いてもよいことは言うまでもない。
【００４３】
（実施の形態２）
実施の形態１では、機能的に対となる音量ボタン２５ａ及び音量ボタン２５ｂの間に操作ボタン識別補助部３１を設ける構成について説明している。実施の形態２では、更に、機能的に対となる選局ボタン２４ａ及び選局ボタン２４ｂの間にも他の操作ボタン識別補助部３２を設ける構成について説明する。
【００４４】
図７は、実施の形態２の操作部１８の外観を示す斜視図である。操作部１８が有する複数の操作ボタン２１〜２５ｂそれぞれは互いに離隔して並置してあり、機能的に対となる音量ボタン２５ａ及び音量ボタン２５ｂの間に操作ボタン識別補助部３１が設けてある。更に、機能的に対となる選局ボタン２４ａ及び選局ボタン２４ｂの間に他の操作ボタン識別補助部３２が設けてある。
【００４５】
操作ボタン識別補助部３１は、複数の操作ボタン２１〜２５ｂが並置してある側面から突出しており、複数の操作ボタン２１〜２５ｂの並置方向を操作ボタン識別補助部３１の長さ方向として並置方向に直交する方向を操作ボタン識別補助部３１の幅方向とする直線形状を有する。つまり操作ボタン識別補助部３１は、並置方向に沿って延びる突条部としてある。また操作ボタン識別補助部３２も同様に、複数の操作ボタン２１〜２５ｂが並置してある側面から突出しており、複数の操作ボタン２１〜２５ｂの並置方向を操作ボタン識別補助部３２の長さ方向として並置方向に直交する方向を操作ボタン識別補助部３２の幅方向とする直線形状を有する。つまり操作ボタン識別補助部３２も、並置方向に沿って延びる他の突条部としてある。
【００４６】
ユーザは、突出形状に基づいて操作ボタン識別補助部３２を認識し、認識した操作ボタン識別補助部３２に触れている手の指を操作ボタン識別補助部３２の長さ方向に沿って移動することにより、指が複数の操作ボタン２１〜２５ｂの並置方向に沿って移動することになり、機能的に対となる選局ボタン２４ａ及び選局ボタン２４ｂを容易に識別できるようになる。また、そのようにして識別した選局ボタン２４ａ及び選局ボタン２４ｂと、同様にして識別した音量ボタン２５ａ及び音量ボタン２５ｂとを手掛かりとして、その他の操作ボタン２１〜２３を識別することも容易になり得る。したがって、操作ボタン２１〜２５ｂそれぞれの形状を相違せずとも、視認し難い複数の操作ボタン全体２１〜２５ｂを手の触覚のみにより識別し易くなり、誤操作の防止および操作性の向上が期待できる。
【００４７】
実施の形態２におけるテレビジョン受信機１のその他の構成は、実施の形態１と同様であるため、その他の構成についての詳細な説明を省略する。
【００４８】
（実施の形態３）
実施の形態１では、機能的に対となる音量ボタン２５ａ及び音量ボタン２５ｂの間に、側面から突出しており実質的に同一幅で音量ボタン２５ａ及び音量ボタン２５ｂの並置方向に沿って延びる直線状の突条部とした操作ボタン識別補助部３１を設ける構成について説明している。実施の形態３では、実質的に同一幅とならずに並置方向に沿って延びる形状の操作ボタン識別補助部３１ａを設ける構成について説明する。
【００４９】
図８は、実施の形態３の操作部１８の外観を示す斜視図である。操作部１８が有する複数の操作ボタン２１〜２５ｂそれぞれは互いに離隔して並置してあり、機能的に対となる音量ボタン２５ａ及び音量ボタン２５ｂの間に操作ボタン識別補助部３１ａが設けてある。
【００５０】
操作ボタン識別補助部３１ａは、複数の操作ボタン２１〜２５ｂが並置してある側面から突出しているが、音量ボタン２５ａから音量ボタン２５ｂへ延びる直線形状ではなく、音量ボタン２５ａ側が底辺となり音量ボタン２５ｂ側が頂点となる三角形状に形成してある。また操作ボタン識別補助部３１ａは、複数の操作ボタン２１〜２５ｂの並置方向を操作ボタン識別補助部３１ａの長さ方向とし並置方向に直交する方向を操作ボタン識別補助部３１ａの幅方向とする三角形状としてある。つまり操作ボタン識別補助部３１ａは、同一幅とならずに並置方向に沿って延びる鋭角三角形状の突条部としてある。
【００５１】
操作ボタン識別補助部３１ａは、音量を増大する音量ボタン２５ａ側の幅が大きく、音量を減少する音量ボタン２５ｂ側の幅小さくなるように形成してある。スピーカの音量増減と操作ボタン識別補助部３１ａの幅増減とが観念的に関連付け易くなるため、手の指で操作ボタン識別補助部３１ａを触れたユーザは、音を増大させる音量ボタン２５ａが操作ボタン識別補助部３１ａの上側にあり音を減少させる音量ボタン２５ｂが操作ボタン識別補助部３１ａの下側にあることを理解し易くなり得る。したがって、操作ボタン識別補助部３１ａを手掛かりとして音量ボタン２５ａ及び音量ボタン２５ｂを識別することがより容易になり得る。
【００５２】
実施の形態３におけるテレビジョン受信機１のその他の構成は、実施の形態１と同様であるため、その他の構成についての詳細な説明を省略する。
【００５３】
（実施の形態４）
実施の形態１では、機能的に対となる音量ボタン２５ａ及び音量ボタン２５ｂの間に、側面から突出しており音量ボタン２５ａ及び音量ボタン２５ｂの並置方向に沿って延びる一直線形状の操作ボタン識別補助部３１を設ける構成について説明している。実施の形態４では、一直線形状とは異なる形状の操作ボタン識別補助部３１ｂを設ける構成について説明する。
【００５４】
図９は、実施の形態４の操作部１８の外観を示す斜視図である。操作部１８が有する複数の操作ボタン２１〜２５ｂそれぞれは互いに離隔して並置してあり、機能的に対となる音量ボタン２５ａ及び音量ボタン２５ｂの間に操作ボタン識別補助部３１ｂが設けてある。
【００５５】
操作ボタン識別補助部３１ｂは、複数の操作ボタン２１〜２５ｂが並置してある側面から突出しているが、音量ボタン２５ａから音量ボタン２５ｂへ延びる一直線形状ではなく、音量ボタン２５ａから音量ボタン２５ｂへ延びる一直線と、当該一直線の両側に並置してあり音量ボタン２５ａから当該一直線の途中まで伸びる二本の直線とからなる形状としてある。また操作ボタン識別補助部３１ｂは、複数の操作ボタン２１〜２５ｂの並置方向を操作ボタン識別補助部３１ｂの長さ方向として並置方向に直交する方向を操作ボタン識別補助部３１ｂの幅方向とする突条部としてある。
【００５６】
操作ボタン識別補助部３１ｂは、音量を増大する音量ボタン２５ａ側の幅が三本線、音量を減少する音量ボタン２５ｂ側の一本線となるように形成してある。スピーカの音量増減と操作ボタン識別補助部３１ｂの直線数の増減とが観念的に関連付け易くなるため、手の指で操作ボタン識別補助部３１ｂを触れたユーザは、音を増大させる音量ボタン２５ａが操作ボタン識別補助部３１ｂの上側にあり音を減少させる音量ボタン２５ｂが操作ボタン識別補助部３１ｂの下側にあることを理解し易くなり得る。したがって、操作ボタン識別補助部３１ｂを手掛かりとして音量ボタン２５ａ及び音量ボタン２５ｂを識別することがより容易になり得る。
【００５７】
実施の形態４におけるテレビジョン受信機１のその他の構成は、実施の形態１と同様であるため、その他の構成についての詳細な説明を省略する。
【００５８】
（実施の形態５）
実施の形態１では、機能的に対となる音量ボタン２５ａ及び音量ボタン２５ｂの間に、音量ボタン２５ａ及び音量ボタン２５ｂの並置方向に沿って延びており側面から突出する突条の操作ボタン識別補助部３１を設ける構成について説明している。実施の形態５では、側面から突出しない形状の操作ボタン識別補助部３１ｃを設ける構成について説明する。
【００５９】
図１０は、実施の形態５の操作部１８の外観を示す斜視図である。操作部１８が有する複数の操作ボタン２１〜２５ｂそれぞれは互いに離隔して並置してあり、機能的に対となる音量ボタン２５ａ及び音量ボタン２５ｂの間に操作ボタン識別補助部３１ｃが設けてある。
【００６０】
操作ボタン識別補助部３１ｃは、複数の操作ボタン２１〜２５ｂが並置してある側面に形成してあるが、突出しているのではなく、側面から窪んだ凹溝状に形成してある。また操作ボタン識別補助部３１ｃは、複数の操作ボタン２１〜２５ｂの並置方向を操作ボタン識別補助部３１ｃの長さ方向とし並置方向に直交する方向を操作ボタン識別補助部３１の幅方向としてある。つまり、並置方向における操作ボタン識別補助部３１ｃの寸法が並置方向に直交する方向における操作ボタン識別補助部３１ｃの寸法よりも長い。
【００６１】
操作部１８には、操作ボタン識別補助部３１ｃと類似するような形状となる他の部位を設けていないため、ユーザは手の触覚のみのよって操作ボタン識別補助部３１ｃを認識し易い。認識した操作ボタン識別補助部３１ｃに触れている手の指を操作ボタン識別補助部３１ｃの長さ方向に沿って移動することにより、指が複数の操作ボタン２１〜２５ｂの並置方向に沿って移動することになり、ユーザは機能的に対となる音量ボタン２５ａ及び音量ボタン２５ｂを容易に識別できるようになる。また、そのようにして識別した音量ボタン２５ａ及び音量ボタン２５ｂを手掛かりとして、その他の操作ボタン２１〜２４ｂを識別することも容易になり得る。したがって、操作ボタン２１〜２５ｂそれぞれの形状を相違せずとも、視認し難い複数の操作ボタン全体２１〜２５ｂを手の触覚のみにより識別し易くなり、誤操作の防止および操作性の向上が期待できる。
【００６２】
実施の形態５におけるテレビジョン受信機１のその他の構成は、実施の形態１と同様であるため、その他の構成についての詳細な説明を省略する。
【００６３】
（実施の形態６）
実施の形態１では、機能的に対となる音量ボタン２５ａ及び音量ボタン２５ｂの間に操作ボタン識別補助部３１を設ける構成について説明している。実施の形態６では、更に、機能的に対となる選局ボタン２４ａ及び選局ボタン２４ｂの間にも他の操作ボタン識別補助部３２ａを設ける構成について説明する。
【００６４】
図１１は、実施の形態６の操作部１８の外観を示す斜視図である。操作部１８が有する複数の操作ボタン２１〜２５ｂそれぞれは互いに離隔して並置してあり、機能的に対となる音量ボタン２５ａ及び音量ボタン２５ｂの間に操作ボタン識別補助部３１が設けてある。更に、機能的に対となる選局ボタン２４ａ及び選局ボタン２４ｂの間に他の操作ボタン識別補助部３２ａが設けてある。
【００６５】
操作ボタン識別補助部３１は、複数の操作ボタン２１〜２５ｂが並置してある側面から突出しており、複数の操作ボタン２１〜２５ｂの並置方向を操作ボタン識別補助部３１の長さ方向として並置方向に直交する方向を操作ボタン識別補助部３１の幅方向とする直線形状を有する。つまり操作ボタン識別補助部３１は、並置方向に沿って延びる突条部としてある。
【００６６】
操作ボタン識別補助部３２ａは、選局ボタン２４ａ及び選局ボタン２４ｂとは機能の異なるグループに属する音量ボタン２５ａ及び音量ボタン２５ｂの間に設けた操作ボタン識別補助部３１と同様の形状を有する突条部としてあるが、操作ボタン識別補助部３２ａの幅が操作ボタン識別補助部３１の幅よりも太い。
【００６７】
ユーザは、突出形状に基づいて操作ボタン識別補助部３２ａを認識し、認識した操作ボタン識別補助部３２ａに触れている手の指を操作ボタン識別補助部３２の長さ方向に沿って移動することにより、指が複数の操作ボタン２１〜２５ｂの並置方向に沿って移動することになり、機能的に対となる選局ボタン２４ａ及び選局ボタン２４ｂを容易に識別できるようになる。機能の異なるグループに属する音量ボタン２５ａ及び音量ボタン２５ｂの間にも同様の形状となる操作ボタン識別補助部３１が設けてあるが、操作ボタン識別補助部３１及び操作ボタン識別補助部３２ａの幅が異なるため、手の触覚を用いて操作ボタン識別補助部３１及び操作ボタン識別補助部３２ａを識別し得る。したがって、操作ボタン２１〜２５ｂそれぞれの形状を相違せずとも、選局ボタン２４ａ、選局ボタン２４ｂ、音量ボタン２５ａ及び音量ボタン２５ｂを識別し易くなる。そのため、識別できたこれらの操作ボタン２４ａ〜２５ｂに基づいて、テレビジョン受信機１に設けてある複数の操作ボタン全体２１〜２５ｂを識別し易くなり、誤操作の防止および操作性の向上が期待できる。
【００６８】
実施の形態６におけるテレビジョン受信機１のその他の構成は、実施の形態１と同様であるため、その他の構成についての詳細な説明を省略する。
【００６９】
（実施の形態７）
実施の形態１では、機能的に対となる音量ボタン２５ａ及び音量ボタン２５ｂの間に、側面から突出している突条部とした操作ボタン識別補助部３１を設ける構成について説明している。実施の形態７では、突条部とした操作ボタン識別補助部３１ではなく、表面構造が周囲と異なる操作ボタン識別補助部３１ｄを設ける構成について説明する。
【００７０】
図１２は、実施の形態７の操作部１８の外観を示す斜視図である。操作部１８が有する複数の操作ボタン２１〜２５ｂそれぞれは互いに離隔して並置してあり、機能的に対となる音量ボタン２５ａ及び音量ボタン２５ｂの間に操作ボタン識別補助部３１ｄが設けてある。
【００７１】
操作ボタン識別補助部３１ｄは、梨地の表面構造を有している。一方、操作ボタン識別補助部３１ｄの周囲を含む操作部１８は、梨地とは異なる所定の表面構造を有している。このような表面構造を形成するに際し、射出成形等の通常技術を用いて操作部１８を形成した後に梨地表面構造部位を形成して操作ボタン識別補助部３１ｄとしてある。予め梨地に対応する部位を含んだ金型を用い、操作ボタン識別補助部３１ｄを備えている操作部１８を形成するようにしてもよい。
【００７２】
操作ボタン識別補助部３１ｄに対する表面構造は、その周囲の部分に対する表面構造と異なる。表面構造が異なることにより、ユーザが操作ボタン識別補助部３１ｄに触れたときの触覚は、その周囲に触れたときの触覚と異なるようになる。そのため、ユーザは手の触覚のみによって操作ボタン識別補助部３１ｄを認識し易い。認識した操作ボタン識別補助部３１ｄに触れている手の指を操作ボタン識別補助部３１ｄの長さ方向に沿って移動することにより、指が複数の操作ボタン２１〜２５ｂの並置方向に沿って移動することになり、ユーザは機能的に対となる音量ボタン２５ａ及び音量ボタン２５ｂを容易に識別できるようになる。また、そのようにして識別した音量ボタン２５ａ及び音量ボタン２５ｂを手掛かりとして、その他の操作ボタン２１〜２４ｂを識別することも容易になり得る。したがって、操作ボタン２１〜２５ｂそれぞれの形状を相違せずとも、視認し難い複数の操作ボタン２１〜２５ｂ全体を手の触覚のみにより識別し易くなり、誤操作の防止および操作性の向上が期待できる。
【００７３】
実施の形態７では、操作ボタン識別補助部３１ｄに対する所定の表面構造として梨地構造を使用していたが、周囲との触覚相違を生じさせるその他の表面構造を使用してもよい。例えば、シボ加工、つや消し加工、又はエンボス加工等により形成される表面構造を使用してもよい。また実施の形態７では、操作ボタン識別補助部３１ｄに梨地構造を使用し、その周囲を含む操作部１８には通常の所定表面構造を使用し、操作ボタン識別補助部３１ｄに触れたときの触覚がその周囲にある操作部１８に触れたときよりもざらついた抵抗感を感じさせる構成としていた。しかし、操作ボタン識別補助部３１ｄに通常の所定表面構造を使用して、その周囲を含む操作部１８に梨地のようなざらついた抵抗感を感じさせる表面構造を使用してもよい。
【００７４】
実施の形態７におけるテレビジョン受信機１のその他の構成は、実施の形態１と同様であるため、その他の構成についての詳細な説明を省略する。
【００７５】
今回開示された実施の形態では、操作ボタン識別補助部が有する周囲と異なる構造として、操作ボタン識別補助部の外部構造の例について説明した。しかしながら、内部構造が異なる構成としても良い。例えば、周囲と異なる弾力・反発力を示すような内部構造を操作ボタン識別補助部が有する構成とすることにより、ユーザが操作ボタン識別補助部に触れて押したときの触覚に基づき、操作ボタン識別補助部を認識し易くなるからである。
【００７６】
今回開示された実施の形態はすべての点で例示であって、制限的なものでは無いと考えられるべきである。実施の形態で記載してある技術的特徴は互いに組み合わせ可能である。本発明の範囲は、上で例示した内容だけで無く、特許請求の範囲によって示され、特許請求の範囲と均等の意味及び範囲内でのすべての更新が含まれることが意図される。
【００７７】
本実施の形態１から７に係る画像表示装置は、画像を表示する表示部（１５）を前面に有し、複数の操作ボタン（２１、２２、２３、２４ａ、２４ｂ、２５ａ、２５ｂ）が前面以外の他面に並置してある画像表示装置（１）において、前記複数の操作ボタン（２１、２２、２３、２４ａ、２４ｂ、２５ａ、２５ｂ）のうちの２個の操作ボタン（２５ａ、２５ｂ）は離隔してあり、前記他面の前記２個の操作ボタン（２５ａ、２５ｂ）間に、その周囲とは構造の異なる操作ボタン識別補助部（３１、３１ａ、３１ｂ、３１ｃ、３１ｄ、３２、３２ａ）を備えることを特徴とする。
【００７８】
上述の画像表示装置では、画像を表示する表示部を有する前面以外の他面に、複数の操作ボタンを有する。また上述の画像表示装置では、複数の操作ボタンのうちの２個の操作ボタンの間に、その周囲と構造の異なる操作ボタン識別補助部を備える。構造の相違に基づいて、手の触覚のみによって操作ボタン識別補助部を認識および識別し易くなり、その操作ボタン識別補助部を手掛かりとして他の操作ボタンも認識および識別し易くなる。
【００７９】
また実施の形態７に係る画像表示装置（１）は、前記操作ボタン識別補助部（３１ｄ）は、その周囲と表面構造が異なることを特徴とする。
【００８０】
上述の画像表示装置では、表面構造の相違に基づき、手の触覚のみによって操作ボタン識別補助部を認識および識別し易くなり、その操作ボタン識別補助部を手掛かりとして他の操作ボタンも認識および識別し易くなる。
【００８１】
また実施の形態１から４及び６に係る画像表示装置（１）は、前記操作ボタン識別補助部（３１、３１ａ、３１ｂ、３２、３２ａ）は、前記２個の操作ボタンの並置方向に延びる突条を有することを特徴とする。
【００８２】
上述の画像表示装置では、突条構造に基づき、手の触覚のみによって操作ボタン識別補助部を認識および識別し易くなり、その操作ボタン識別補助部を手掛かりとして他の操作ボタンも認識および識別し易くなる。
【００８３】
また実施の形態５に係る画像表示装置（１）は、前記操作ボタン識別補助部（３１ｃ）は、前記２個の操作ボタンの並置方向に延びる凹溝を有することを特徴とする。
【００８４】
上述の画像表示装置では、凹溝構造に基づき、手の触覚のみによって操作ボタン識別補助部を認識および識別し易くなり、その操作ボタン識別補助部を手掛かりとして他の操作ボタンも認識および識別し易くなる。
【００８５】
また実施の形態１から７に係る画像表示装置（１）は、前記複数の操作ボタン（２１、２２、２３、２４ａ、２４ｂ、２５ａ、２５ｂ）の外端は、前記前面の周縁よりも内側にあることを特徴とする。
【００８６】
上述の画像表示装置では、操作ボタンの外端が前面の周縁よりも内側にあるため、表示部を有する前面側から画像表示装置を見た場合に、操作ボタンが視認されない。
【００８７】
また実施の形態１から７に係る画像表示装置（１）は、音発生部を備え、前記２個の操作ボタン（２５ａ、２５ｂ）は、前記音発生部が発生する音量を増大させる操作ボタン及び減少させる操作ボタンであることを特徴とする。
【００８８】
上述の画像表示装置では、音発生部の音量を増大させる操作ボタン及び減少させる操作ボタンを有する。また、機能的に一対となるこれら２個の操作ボタンの間に、操作ボタン識別補助部が配置されるように構成してある。認識および識別した操作ボタン識別補助部を手掛かりとして、機能的に一対となる音量の操作ボタンも認識および識別し易くなる。
【００８９】
また実施の形態１から７に係る画像表示装置（１）は、チャンネル番号が付された複数の放送局から放送されるテレビジョン放送を受信する受信部を備え、前記２個の操作ボタン（２４ａ、２４ｂ）は、前記受信部が受信すべきテレビジョン放送を放送する放送局をチャンネル番号の昇順に切り替える操作ボタン及び降順に切り替える操作ボタンであることを特徴とする。
【００９０】
上述の画像表示装置では、チャンネル番号の昇順に放送局を選択する操作ボタン及び降順に選択する操作ボタンを有する。また、機能的に一対となるこれら２個の操作ボタンの間に、操作ボタン識別補助部が配置されるように構成してある。認識および識別した操作ボタン識別補助部を手掛かりとして、機能的に一対となる放送局の選択操作ボタンも認識および識別し易くなる。
【符号の説明】
【００９１】
１    テレビジョン受信機
１５  表示部
１８  操作部
２１  電源ボタン
２２  ホームボタン  
２３  入力切替ボタン
２４ａ、２４ｂ  選局ボタン
２５ａ、２５ｂ  音量ボタン
３１、３１ａ、３１ｂ、３１ｃ、３１ｄ、３２、３２ａ  操作ボタン識別補助部
【図１】
2014171213.tif 000003
【図２】
2014171213.tif 000004
【図３】
2014171213.tif 000005
【図４】
2014171213.tif 000006
【図５】
2014171213.tif 000007
【図６】
2014171213.tif 000008
【図７】
2014171213.tif 000009
【図８】
2014171213.tif 000010
【図９】
2014171213.tif 000011
【図１０】
2014171213.tif 000012
【図１１】
2014171213.tif 000013
【図１２】
2014171213.tif 000014
【手続補正書】
【提出日】平成26年6月6日(2014.6.6)
【手続補正１】
【補正対象書類名】明細書
【補正対象項目名】００１２
【補正方法】変更
【補正の内容】
【００１２】
本発明に係る画像表示装置は、画像を表示する表示部を前面に有し、複数の操作ボタンが前面以外の他面に並置してある画像表示装置において、前記複数の操作ボタンのうちの２個の操作ボタンは離隔してあり、前記他面の前記２個の操作ボタン間に、その周囲とは表面構造の異なる操作ボタン識別補助部を備えることを特徴とする。
【手続補正２】
【補正対象書類名】明細書
【補正対象項目名】００１３
【補正方法】削除
【補正の内容】
【手続補正３】
【補正対象書類名】明細書
【補正対象項目名】００１８
【補正方法】変更
【補正の内容】
【００１８】
また本発明に係る画像表示装置は、チャンネル番号が付された複数の放送局から放送されるテレビジョン放送を受信する受信部を備え、前記２個の操作ボタンは、前記受信部が受信すべきテレビジョン放送を放送する放送局をチャンネル番号の昇順に切り替える操作ボタン及び降順に切り替える操作ボタンであることを特徴とする。
また本発明に係る画像表示装置は、前記操作ボタン識別補助部は、梨地の表面構造を備えることを特徴とする。
また本発明に係る画像表示装置は、前記操作ボタン識別補助部は、前記並置方向の寸法が、前記並置方向に直交する方向の寸法よりも長いことを特徴とする。
【手続補正４】
【補正対象書類名】特許請求の範囲
【補正対象項目名】全文
【補正方法】変更
【補正の内容】
【特許請求の範囲】
【請求項１】
画像を表示する表示部を前面に有し、複数の操作ボタンが前面以外の他面に並置してある画像表示装置において、
前記複数の操作ボタンのうちの２個の操作ボタンは離隔してあり、
前記他面の前記２個の操作ボタン間に、その周囲とは表面構造の異なる操作ボタン識別補助部を備える
ことを特徴とする画像表示装置。
【請求項２】
前記操作ボタン識別補助部は、前記２個の操作ボタンの並置方向に延びる突条を有する
ことを特徴とする請求項１に記載の画像表示装置。
【請求項３】
前記操作ボタン識別補助部は、前記２個の操作ボタンの並置方向に延びる凹溝を有する
ことを特徴とする請求項１に記載の画像表示装置。
【請求項４】
前記複数の操作ボタンの外端は、前記前面の周縁よりも内側にある
ことを特徴とする請求項１から３のいずれか一つに記載の画像表示装置。
【請求項５】
音発生部を備え、
前記２個の操作ボタンは、前記音発生部が発生する音量を増大させる操作ボタン及び減少させる操作ボタンである
ことを特徴とする請求項１から４のいずれか一つに記載の画像表示装置。
【請求項６】
チャンネル番号が付された複数の放送局から放送されるテレビジョン放送を受信する受信部を備え、
前記２個の操作ボタンは、前記受信部が受信すべきテレビジョン放送を放送する放送局をチャンネル番号の昇順に切り替える操作ボタン及び降順に切り替える操作ボタンである
ことを特徴とする請求項１から４のいずれか一つに記載の画像表示装置。
【請求項７】
前記操作ボタン識別補助部は、梨地の表面構造を備える
ことを特徴とする請求項１に記載の画像表示装置。
【請求項８】
前記操作ボタン識別補助部は、前記並置方向の寸法が、前記並置方向に直交する方向の寸法よりも長い
ことを特徴とする請求項１に記載の画像表示装置。